【手続補正書】
【提出日】平成19年2月19日(2007.2.19)
【手続補正１】
【補正対象書類名】明細書
【補正対象項目名】発明の名称
【補正方法】変更
【補正の内容】
【発明の名称】番組視聴履歴取得装置及び番組視聴履歴取得方法
【手続補正２】
【補正対象書類名】明細書
【補正対象項目名】特許請求の範囲
【補正方法】変更
【補正の内容】
【特許請求の範囲】
【請求項１】  放送番組に対する視聴者の視聴履歴を取得する番組視聴履歴取得装置において、
ザッピングを行っているかどうかを監視するザッピング監視手段と、
前記ザッピング監視手段によりザッピングしていると判断されたザッピング時に、チャンネルを選局したかどうかを判断するチャンネル決定判断手段と、
前記チャンネル決定判断手段により、選局したと判断されたチャンネルを視聴履歴として取得する番組視聴履歴取得装置。
【請求項２】  ザッピング開始命令を与えるザッピング指示手段をさらに備え、
前記ザッピング監視手段は、前記ザッピング開始命令によりザッピングを行っているかどうかを監視することを特徴とする請求項１に記載の番組視聴履歴取得装置。
【請求項３】  前記ザッピング開始命令により受信チャンネルをザッピングするザッピング制御手段をさらに備えたことを特徴とする請求項１または２に記載の番組視聴履歴取得装置。
【請求項４】  前記チャンネル決定判断手段によりザッピング時にチャンネルを選択されたと判断されたチャンネルに対し、選択された回数をチャンネル毎に記憶する選局回数記憶手段をさらに備えたことを特徴とする請求項１から３のいずれか１項に記載の番組視聴履歴取得装置。
【請求項５】 前記ザッピング制御手段が受信チャンネルを順次走査する時間間隔を設定するザッピング時間設定手段をさらに備えたことを特徴とする請求項１から４のいずれか１項に記載の番組視聴履歴取得装置。
【請求項６】  チャンネルの放送周波数情報が記憶されたチャンネルメモリと、
ザッピングするチャンネルを前記チャンネルメモリに登録するザッピングチャンネル登録手段とを備えたことを特徴とする請求項１から５のいずれか１項に記載の番組視聴履歴取得装置。
【請求項７】 前記選局回数記憶手段に記憶されている選択回数が多いチャンネル順に、チャンネルを表示させる番組表表示手段をさらに備えたことを特徴とする請求項１から６のいずれか１項に記載の番組視聴履歴取得装置。
【請求項８】  ザッピングを行っているかどうかを監視するザッピング監視ステップと、
前記ザッピング監視ステップによりザッピングしていると判断されたザッピング時に、チャンネルを選局したかどうかを判断するチャンネル決定判断ステップと、
前記チャンネル決定判断ステップにより、選局したと判断されたチャンネルを視聴履歴とする番組視聴履歴取得方法。
【手続補正３】
【補正対象書類名】明細書
【補正対象項目名】０００１
【補正方法】変更
【補正の内容】
【０００１】
【発明の属する技術分野】
本発明は、放送番組に対する視聴者の視聴履歴を取得する番組視聴履歴取得装置及び方法に関し、さらに詳しくは、多チャンネル化が進んでいるテレビやラジオ等の放送系において、視聴者の番組視聴履歴を効果的に取得し、取得した視聴履歴を基に、表示する番組表の並べ替えを行う番組視聴履歴取得装置及び番組視聴履歴取得方法に関する。
【手続補正４】
【補正対象書類名】明細書
【補正対象項目名】０００５
【補正方法】変更
【補正の内容】
【０００５】
【課題を解決するための手段】
本発明は、上記目的を達成するためになされたものであって、そのための、
第１の技術手段は、放送番組に対する視聴者の視聴履歴を取得する番組視聴履歴取得装置において、ザッピングを行っているかどうかを監視するザッピング監視手段と、前記ザッピング監視手段によりザッピングしていると判断されたザッピング時に、チャンネルを選局したかどうかを判断するチャンネル決定判断手段と、前記チャンネル決定判断手段により、選局したと判断されたチャンネルを視聴履歴として取得することを特徴とする。
第２の技術手段は、第１の技術手段において、ザッピング開始命令を与えるザッピング指示手段をさらに備え、前記ザッピング監視手段は、前記ザッピング開始命令によりザッピングを行っているかどうかを監視することを特徴とする。
第３の技術手段は、第１または第２の技術手段において、前記ザッピング開始命令により受信チャンネルをザッピングするザッピング制御手段をさらに備えたことを特徴とする。
第４の技術手段は、第１から第３のいずれか１の技術手段において、前記チャンネル決定判断手段によりザッピング時にチャンネルを選択されたと判断されたチャンネルに対し、選択された回数をチャンネル毎に記憶する選局回数記憶手段をさらに備えたことを特徴とする。
【手続補正５】
【補正対象書類名】明細書
【補正対象項目名】０００６
【補正方法】変更
【補正の内容】
【０００６】
第５の技術手段は、第１から第４のいずれか１の技術手段において、前記ザッピング制御手段が受信チャンネルを順次走査する時間間隔を設定するザッピング時間設定手段をさらに備えたことを特徴とする。
【手続補正６】
【補正対象書類名】明細書
【補正対象項目名】０００７
【補正方法】変更
【補正の内容】
【０００７】
第６の技術手段は、第１から第５のいずれか１の技術手段において、チャンネルの放送周波数情報が記憶されたチャンネルメモリと、ザッピングするチャンネルを前記チャンネルメモリに登録するザッピングチャンネル登録手段とを備えたことを特徴とする。
第７の技術手段は、第１から第６のいずれか１の技術手段において、前記選局回数記憶手段に記憶されている選択回数が多いチャンネル順に、チャンネルを表示させる番組表表示手段をさらに備えたことを特徴とする。
【手続補正７】
【補正対象書類名】明細書
【補正対象項目名】０００８
【補正方法】変更
【補正の内容】
【０００８】
第８の技術手段は、ザッピングを行っているかどうかを監視するザッピング監視ステップと、前記ザッピング監視ステップによりザッピングしていると判断されたザッピング時に、チャンネルを選局したかどうかを判断するチャンネル決定判断ステップと、前記チャンネル決定判断ステップにより、選局したと判断されたチャンネルを視聴履歴とする番組視聴履歴取得方法である。
【手続補正８】
【補正対象書類名】明細書
【補正対象項目名】００３８
【補正方法】変更
【補正の内容】
【００３８】
【発明の効果】
以上の説明から明らかなように、本発明は次のような効果を奏する。
本発明によれば、ザッピング時のチャンネル切り替え（一定時間間隔でチャンネルが切り替わる処理）は、視聴者がチャンネル選択を行ったとして選局回数としてカウントせず、視聴者がザッピング時に番組決定手段を用いてザッピングを停止し、番組を選択した時のみ、視聴者がチャンネル選択を行ったとして視聴履歴を取得するため、視聴者によるザッピング操作が頻繁に行われても、その都度選局回数としてカウントされることがなく、視聴履歴を正確に取得し得る番組視聴履歴取得装置を提供することができる。
【手続補正９】
【補正対象書類名】明細書
【補正対象項目名】００３９
【補正方法】変更
【補正の内容】
【００３９】
また、本発明によれば、ザッピング時にチャンネルが自動時に切り替わっていく一定時間間隔を視聴者が設定することができるため、視聴者の好みに合わせたスピードでチャンネルの切り替えを行うことができる。
【手続補正１０】
【補正対象書類名】明細書
【補正対象項目名】００４０
【補正方法】変更
【補正の内容】
【００４０】
また、本発明によれば、ザッピング対象となるチャンネルは、チャンネルメモリに登録されているチャンネルすべてとするのではなく、視聴者が設定することができるため、視聴者が視聴したいと思うチャンネルのみをザッピング対象にすることができるので、短時間でザッピング処理を行うことができ、視聴したい番組を早期に検出することができる。
【手続補正１１】
【補正対象書類名】明細書
【補正対象項目名】００４１
【補正方法】変更
【補正の内容】
【００４１】
また、本発明によれば、より正確に取得した視聴履歴をもとに、選局回数が多いチャンネル順に番組表を表示させているので、従来技術よりもより正確に視聴者の履歴を反映させた使い勝手の良い番組表を表示することができる。